(57)【要約】【課題】一時的使用目的の部屋の鍵管理を容易に実現する。【解決手段】  建物内の部屋への入室を許可された者が所持するＩＣカードに登録された認証情報を、部屋内に設けられたＩＣカードリーダーを備えたキーボックスと、この読み取った認証情報を前記部屋に関する照合用認証情報と照合し一致したときに前記部屋の電気錠を解錠する入退室管理装置とを備えた鍵管理システムにおいて、このキーボックスにＩＣカードが着脱されたことに応じて、この電気錠を解施錠することを特徴とする鍵管理システム。 【選択図】  図１
2014240554.tif 000002
【特許請求の範囲】
【請求項１】
建物内の部屋への入室を許可された者が所持するＩＣカードに登録された認証情報を読み込む前記部屋内に設けられたＩＣカードリーダーを備えたキーボックスと、
この読み取った認証情報を前記部屋に関する照合用認証情報と照合し一致したときに前記部屋の電気錠を解錠する管理装置とを備えた鍵管理システムにおいて、
前記キーボックスに前記ＩＣカードが装着された場合に、この電気錠を解錠することを特徴とする鍵管理システム。
【請求項２】
請求項１における鍵管理システムにおいて、
前記キーボックスから前記ＩＣカードが離隔された場合に、この電気錠を施錠することを特徴とする鍵管理システム。
【発明の詳細な説明】
【技術分野】
【０００１】
この発明は、ＩＣカードを利用して建物内の各部屋の解錠を行い、入退室を管理する鍵管理システムに関する。特に、ビル内の会議室など一時使用目的の部屋使用を管理する鍵管理システムに関する。
【背景技術】
【０００２】
従来、ＩＣカードを利用した鍵管理システムの基本構成は、建物内の部屋への入室を希望する者が所持するＩ Ｃ カードに登録された認証情報をＩＣ
カードリーダで読み取り、この読み取った認証情報を対応する部屋に関する照合用認証情報と照合し、一致したときに対応する部屋の電気錠を解錠するというものであった。特に、ビル内の会議室、応接室などの一時使用を目的とする部屋の使用管理では、使用者、使用時間が定まっていないので、シンプルな運用で行なえるように、当該応接室に専用の鍵となるＩＣカードを貸与して行うことが一般的である。
【０００３】
特許文献１にある発明では、電気錠を解錠するための照合用認証情報を遠隔地から登録及び変更できる鍵管理システムを提供することにあり、また、電気錠の解錠及び施錠の履歴情報を遠隔地で確認できる鍵管理システムを提供することにあった。
【０００４】
また、一時的使用の側面からは、部屋の使用状況の管理は人に依存する部分が多く、使用状況に柔軟に対応した、予約管理、部屋使用状況把握、部屋使用料金の請求などの管理を行うことが難しいという問題がある。そのため、鍵紛失の心配がなく、セキュリティが確保され、予約または使用の変更に柔軟に対応して一時使用目的部屋の使用を管理する一時使用目的部屋管理システムを提供する発明もある（特許文献２）。
【先行技術文献】
【特許文献】
【０００５】
【特許文献１】特開２００６−０２８８８４号公報
【特許文献２】特開２００６−１４４２６４号公報
【発明の概要】
【発明が解決しようとする課題】
【０００６】
しかし、このように種種の優れたセキュリティ機能を実現した入退室管理システムにしても、次のような問題はあった。すなわち、応接室などは、一次解除モードで運用（鍵で解錠した後、所定時間後に自動で施錠されることを意味する）され、部屋を利用する全ての人に鍵を渡すのではなく、部屋ごとに一つの鍵を渡す。そのため、鍵を持たずに退室し戻ってきた場合には、室内にいる人にその都度開けてもらう必要がある。逆に誰かが鍵を持って退室した場合に、退室した人が戻るときがわからないと、他の人は安易に入退室できなくなるなどの問題があった。
【０００７】
この問題を解決するために入室者人数分の鍵を用意することは、鍵のコスト、また紛失のリスクを考えると得策でない。本願発明は、このような一時的使用目的部屋の運用においても、十分リスクを低減した鍵管理システムを容易に実現することである。
【課題を解決するための手段】
【０００８】
本願発明は、  建物内の部屋への入室を許可された者が所持するＩＣカードに登録された認証情報を読み込む前記部屋内に設けられたＩＣカードリーダーを備えたキーボックスと、この読み取った認証情報を前記部屋に関する照合用認証情報と照合し一致したときに前記部屋の電気錠を解錠する管理装置とを備えた鍵管理システムにおいて、
前記キーボックスに前記ＩＣカードが装着された場合に、この電気錠を解錠することを特徴とする鍵管理システムである。
【０００９】
さらに本願発明は、前記キーボックスから前記ＩＣカードが離隔された場合に、この電気錠を施錠することを特徴とする鍵管理システムである。
【発明の効果】
【００１０】
本願発明により、入退室時の煩わしさが解消して、来訪者や受け入れ担当者にとっても鍵管理が確実、かつ簡便になり、さらに、鍵運用コストの低減も図ることができる。
【図面の簡単な説明】
【００１１】
【図１】本願発明の実施の一形態にかかる鍵管理システムの構成を示すブロック図。
【図２】本願発明の実施にかかる鍵管理システムにおける各機能の相関動作フロー
【図３】本願発明の実施にかかる解施錠ロジックのタイムシーケンス。
【発明を実施するための形態】
【００１２】
以下、本願発明を実施の形態に基づき説明する。図１はこの発明の一実施の形態を示す鍵管理システムの構成を示すブロック図である。同図において、１２−１〜１２−３は応接室等の管理対象である部屋の各扉１１−１〜１１−３の外に設置されたカードリーダ、１３−１〜１３−３は各扉１１−１〜１１−３に設置された電気錠、１４は管理装置、
１５は管理装置１４とカードリーダ１２−１〜１２−３、電気錠１３−１〜１３−３および部屋内に設けられたキーボックス２０−１〜２０−３とを接続するネットワーク、１６は施設内に出入りする利用者が所持するＩＣカードである。
なお、本例では、複数の部屋で構成されて、それらを統括する管理装置１４として説明するが、必ずしもこのような階層的な構成ではなく、一部屋単位で管理装置の役目を担うスタンドアローン型のコントローラを部屋ごとに配備することでもよい。
【００１３】
キーボックス２０−１〜２０−３は、夫々ＩＣカードリーダ(図示しない)を内蔵しており、入室に利用したＩＣカード１６をキーボックス２０−１〜２０−３に装着すると、管理装置１４に解錠要求の信号が送られるものである。ＩＣカード１６がキーボックス２０−１〜２０−３に置かれているときは常時解錠状態とする。一方、退室に際して、ＩＣカード１６を受付などに返却するためにキーボックス２０−１〜２０−３から取り出すので、そのときキーボックス２０−１〜２０−３は管理装置１４へ施錠要求の信号を送る。キーボックス２０−１〜２０−３は各部屋内の適当な箇所に設けられる。
【００１４】
次に、本願発明の動作を図２の相関フローに基づいて説明する。（なお、説明のために各符号は1番目の物を用いる）
利用者は、例えば扉１１−１を通行し入室しようとする場合、自身が貸与されて所持するＩＣカード１６をカードリーダ１２−１にかざす。ＩＣカード１６には、固有の識別ＩＤが予め記録されている。カードリーダ１２−１は、ＩＣカード１６から識別ＩＤを読み取る（図２ステップＳ０１）。そして、カードリーダ１２−１は、自装置のリーダアドレスとＩＣカード１６から読み出した識別ＩＤとを含む照合要求を管理装置１４に送信する（ステップＳ０２）。
【００１５】
管理装置１４は、照合要求を受信すると、識別ＩＤで特定される利用者がリーダアドレスで特定される扉を通行可能かどうか、予め登録された通行許可情報により判定する（ステップＳ０３）。そして、管理装置１４は通行可と判定した場合、リーダアドレスに対応する扉の電気錠１３−１に対して解錠指令信号を送る（ステップＳ０４）。扉１１−１の電気錠１３−１は、解錠指令信号を受信した場合、解錠する（ステップＳ０５）。こうして、利用者は、扉１１−１を通行し入室することができる。また、管理装置１４はステップＳ０３において通行不可と判定した場合、解錠指令信号を出力しないので、利用者の通行は拒否される。
【００１６】
次に、入室した利用者は、この所持するＩＣカード１６を室内のキーボックス２０−１に装着すると、キーボックス内臓のＩＣカードリーダがＩＣカード１６から識別ＩＤを読み取る（ステップＳ１０）。そして、そして、キーボックス２０−１は、自装置のリーダアドレスとＩＣカード１６から読み出した識別ＩＤとを含む照合要求を管理装置１４に送信する（ステップＳ１２）。これを行うのが、キーボックス２０−１でのＩＣカード着脱確認（ステップＳ１１）である。
【００１７】
管理装置１４は、今度はこの照合要求を受信すると、識別ＩＤで特定される利用者がリーダアドレスで特定される部屋を開放可能かどうかを、予め登録された開放許可情報により判定する（ステップＳ１３）。そして、管理装置１４は開放可と判定した場合、リーダアドレスに対応する扉の電気錠１３−１に対して解錠指令信号を送る（ステップＳ１４）。
扉１１−１の電気錠１３−１は、解錠指令信号を受信した場合、解錠する（ステップＳ０５）。こうして、利用者は、扉１１−１を解錠したままで開放することができる。一方、管理装置１４はステップＳ１３において開放不可と判定した場合、電気錠１３−1へ施錠指令信号を出力する（ステップＳ１５）。
【００１８】
そして、キーボックス２０−１のステップＳ１１に示したＩＣカード着脱確認ステップは、常時一定の周期で実行される。ＩＣカード１６がキーボックス２０−１から離隔（取り外し）された場合には、キーボックス２０−１は、ＩＣカード離隔信号を管理装置１４に送信する（ステップＳ１２）。管理装置１４は、今度は離隔信号を受信すると、開放可否判定（ステップＳ１３）において開放不可と判定して、施錠指令信号を出力する（ステップＳ１５）。この場合は外からの利用者の入室は拒否される。
【００１９】
この結果、ＩＣカードが取り出されて部屋の使用後は全員が退室した場合、施錠されることになる（ステップＳ１６）。なお、この施錠のタイミングは、時間ディレイを設けるか、人感知センサによるかなどは設計任意である。もちろん、部屋内側からのドアの開閉が自由であるならば、特にタイミングに拘る必要はない。
【００２０】
なお、ＩＣカード１６は、例えばＲＦＩＤ（Ｒａｄｉｏ Ｆｒｅｑｕｅｎｃｙ Ｉｄｅｎｔｉｆｉｃａｔｉｏｎ）の技術を用いて、カードリーダ１２およびキーボックス２０−１と非接触で通信することができる。なお、それらからの電波を受けて、この電波を電力に変換する無電源型のＩＣカードを使用すれば、ＩＣカード１６への電源供給は不要になる。また、管理装置４は、イントラ・インターネット通信網（有線無線を問わず）を介して通信機能を実現する送受信部と、情報を記憶する記憶部と、電気錠を制御する制御部とを有するマイクロコンピュータシステムである。制御部は、利用者の通行可否また開放可否を判定する照合手段と、その可否の判定結果に基づいて電気錠を制御する電気錠制御手段とで構成している。
【００２１】
それは、次に本願発明の理解のために、開放可否判定（図２のステップＳ１３）にまつわる動作にかかるタイムシーケンスの例で述べる。図３の上段で、キーボックス２０−１から管理装置１４の解錠信号を示し、下段は電気錠のステータス遷移を示すものである。管理装置の出力する解錠信号はＯｆｆ（解錠しない状態）で始まるが、これは部屋の未使用状態、または使用終了状態を示し、施錠状態から始まるものとする。
ここで左側の破線で示すタイミングで、キーボックス２０−１からＩＣカード装着による通知があって管理装置１４が電気錠１３−１に対して解錠指令Ｏｎ（解錠する状態）を出す（ステップＳ１４）。この結果、電気錠１３−１は解錠状態（ステップＳ０５）になる。続いて、右側の破線で示すタイミングでは、キーボックス２０−１からＩＣカード離隔にかかる通知があって管理装置１４は電気錠１３−１に対して解錠指令Ｏｆｆを出す（ステップＳ１５）。この結果、電気錠１３−１は施錠状態（ステップＳ１６）になる。
【産業上の利用分野】
【００２２】
以上のとおり、本願発明では簡単な仕組みでも、盗難防止などのセキュリティ面からも、部屋内に鍵がある場合は在室とみなせるために、在室時（部屋にしかるべきＩＣカードを装着している場合）は解錠状態にするので、その条件下で入退室に都合がよい。また、退室時には、ＩＣカードによる退室操作を必要とするしくみであり、入退室の取り扱いも簡単である。
【符号の説明】
【００２３】
１１−１〜１１−ｎ  扉
１２−１〜１２−ｎ  カードリーダ
１３−１〜１３−ｎ  電気錠
１４  管理装置
１５  ネットワーク
１６  ＩＣカード
２０−１〜２０−ｎ    キーボックス
【図１】
2014240554.tif 000003
【図２】
2014240554.tif 000004
【図３】
2014240554.tif 000005